(57)【要約】【課題】保持具から釣り竿だけが持ち上げられ、かつ、保持具による釣り竿の保持が容易、迅速にできるようにする。【解決手段】船縁に固定される取付具に取り付けられて釣り竿を保持する釣り竿保持装置であり、この保持装置が、開閉して釣り竿を保持、開放する左右一対の挟持具を有するものであり、この挟持具の開閉をレバーで行うものである釣り竿保持装置。【選択図】　　　図１
2004141091.tif 000002
【特許請求の範囲】
【請求項１】
船縁に固定される取付具に取り付けられて釣り竿を保持する釣り竿保持装置であり、この保持装置が、開閉して釣り竿を保持、開放する左右一対の挟持具を有するものであり、この挟持具の開閉をレバーで行うものである釣り竿保持装置。
【請求項２】
挟持具の動きに常に制動力が付与されており、この制動力によって挟持具の開状態と閉状態とが保持できるようにしてある請求項１の釣り竿保持装置。
【請求項３】
左右の挟持具が互いに噛合して各々の支持軸の回りを協働的に回動して開閉するものであり、一方の挟持具にこれを閉勝手に弾性付勢して回動可能に連結されるカム板が付設されており、レバーがこのカム板に作用して挟持具が開閉するものである請求項１又は２の釣り竿保持装置。
【請求項４】
カム板にレバーが係合するノッチが段階的に形成されており、レバーとノッチの係合位置を変えることで挟持具を閉状態にしたときの釣り竿の保持径が変更できるものである請求項３の釣り竿保持装置。
【請求項５】
挟持具が閉状態に弾性付勢されており、開状態のときにレバーに掛け金が係合して開状態を維持し、掛け金の解放操作で閉状態に移行する請求項１の釣り竿保持装置。
【請求項６】
挟持具の一方が釣り竿の上方に回り込む上方覆閉部を有している請求項１〜５いずれかの釣り竿保持装置。
【発明の詳細な説明】
【０００１】
【発明の属する技術分野】
本発明は、船縁等に取り付けられる釣り竿保持装置に関するものである。
【０００２】
【従来の技術】
船釣り等を行う場合、船上にセットした釣り竿保持装置によって釣り竿を保持しておくことがある。この釣り竿保持装置として、繰り出した釣り竿の端を固定する保持具を船縁等に固定される取付具に対して着脱可能に取り付ける構造のものがある。尚、保持具の前方には、釣り竿を下方から支持する支持具が設けられており、この保持具と支持具とで釣り竿を保持している。
【０００３】
【発明が解決しようとする課題】
この場合、魚がかかったときには、保持具を取付具から外し（瞬時に外せる機構になっている）、この保持具を付けたままの釣り竿を持って取込み操作をしている。しかし、これによると、本来、手で握る個所には保持具が付いていることになるから、この保持具が邪魔になって所要の動作ができないことがある。又、保持具による釣り竿の保持は、ネジ等を締め付けるものであるから、釣り竿を取り替えるときには、このネジ等の締緩操作が必要になり、操作が面倒で短時間にはできない。本発明は、このような課題を解決したものであり、保持具における釣り竿の解放が瞬時にできるようにしたものである。
【０００４】
【課題を解決するための手段】
以上の課題の下、本発明は、請求項１に記載した、船縁に固定される取付具に取り付けられて釣り竿を保持する釣り竿保持装置であり、この保持装置が、開閉して釣り竿を保持、開放する左右一対の挟持具を有するものであり、この挟持具の開閉をレバーで行うものである釣り竿保持装置を提供したものである。これによると、釣り竿を保持装置から外すときには、レバーを操作して挟持具を開けばよいから、釣り竿だけを挟持具から外せる。
【０００５】
この場合、請求項２に記載した、挟持具の動きに常に制動力が付与されており、この制動力によって挟持具の開状態と閉状態とが保持できるようにすると、開及び閉状態に保持する係合構造等は不要になって構造が簡単になるとともに、一方の手でレバーを操作し、他方の手では釣り竿を握るといった操作も可能になる。又、請求項３に記載した、左右の挟持具が互いに噛合して各々の支持軸の回りを協働的に回動して開閉するものであり、一方の挟持具にこれを閉勝手に弾性付勢して回動可能に連結されるカム板が付設されており、レバーがこのカム板に作用して挟持具が開閉するものにすれば、一本のレバーで左右の挟持具を協働させて動かせるし、挟持具による釣り竿の挟持が閉勝手に付勢される弾性挟持になり、より強固に保持できて振動等でも弛まない。
【０００６】
更に、上記において、請求項４に記載した、カム板にレバーが係合するノッチが段階的に形成されており、レバーとノッチの係合位置を変えることで挟持具を閉状態にしたときの釣り竿の保持径が変更できるものであれば、釣り竿の径が変わっても上記の弾性挟持が可能になる。この他、請求項６に記載した、挟持具の一方が釣り竿の上方に回り込む上方覆閉部を有しておれば、釣り竿の挟持具からの上方抜出が防止できる。魚がかかったとき等には、釣り竿には上方に強い力がかかるときもあるが、このときの外れを上方覆閉部が防止する。
【０００７】
【発明の実施の形態】
以下、本発明の実施の形態を図面を参照して説明する。図１、図２は本発明の一例を示す釣り竿保持装置の一部断面正面図、図３は一部断面側面図、図５は側面図であるが、この釣り竿保持装置は、船縁等１に固定される取付具２に取り付けられるものであり、釣り竿３を左右から挟持する一対の挟持具４と、挟持具４を保持する本体部５とからなる。この場合、本体部５には、下端に開口される孔５ａが形成されており、この孔５ａが取付具２に設けられる支点６に対して垂直面内で回動可能に上立する支持軸７に上方から嵌合されている。尚、支持軸７の途中には括れ部７ａが形成されており、本体部５に螺設された止めネジ８の先端をこの括れ部７ａに突入させて抜け出るのを防いでいる。
【０００８】
本例の挟持具４は、大小の半割り形状が左右から向かい合った左右一対の挟持具４ａ、４ｂからなり、一方の挟持具４ａ（本例では正面から見て左側を設定しているので、以下、左挟持具と称す）には、釣り竿３を挟持したときにその上方に回り込む上方覆閉部４ａａが形成されている。魚がかかったとき等には、釣り竿３を上方に持ち上げようとする力が働くことがあり、上方覆閉部４ａａがないとそのまま抜け出ることもあるが、この上方覆閉部４ａａがそれを防止する。左右の挟持具４ａ、４ｂの下部には本体部５に水平に突出される支持軸９ａ、９ｂの回りを回動できる歯形１０ａ、１０ｂが形成されて互いに噛合している。
【０００９】
一方、左挟持具４ａには、カム孔１１ａが形成されたカム板１１が付設されており、左挟持具４ａとカム板１１とは、連結軸２１で互いに回動可能に連結されている。そして、左挟持具４ａとカム板１１とは、左挟持具４ａの支持軸９ａとカム板１１との間にスプリング１４を張り掛けており、このスプリング１４によって互いに離反方向に付勢している。左右の挟持具４を閉方向に弾性付勢することで、釣り竿３を弾発挟持してより強く保持するためである。但し、カム板１１に形成されたストッパー部１１ｂが左挟持具４ａに係合して一定以上の離反が規制されている。レバー１３でカム板１１を操作し、挟持具４を開かせるためであるが、このため、カム孔１１ａには、本体部５に植立された支点軸１２の回りを垂直面内で回動するレバー１３の先端部が摺接状態で突入している。
【００１０】
このカム孔１１ａの形状は、レバー１３の後端を押し上げて先端を押し下げれば、カム板１１のストッパー部１１ｂが左挟持具４ａに同様の動きをさせて左挟持具４ａは図１で反時計方向（右挟持具４ｂは時計方向）に回転し、左挟持具４ａと右挟持具４ｂとが開く開状態になるように設定されている。反対に、レバー１３の先端を押し上げれば、左挟持具４ａと右挟持具４ｂとが閉まる閉状態になるように設定されている（このとき、カム板１１が左挟持具４ａに形成された凸部４ａｂに当たって両者の全面当たりを避け、確実な動きにしている）。加えて、挟持具４を閉状態にしたときにも、レバー１３の先端を少しずつ押し上げれば、左挟持具４ａと右挟持具４ｂとが逐次狭まるように、その摺接部には段状のノッチ１１ｃが形成されている。釣り竿３の太さに対応させるためである。
【００１１】
ところで、挟持具４は、以上の開状態と閉状態のときにも、その状態を維持できるのが望ましい。開状態のときには、釣り竿が取り除き可能な状態を継続できるのが好ましく、閉状態のときには、釣り竿を締め付けて固定する状態が継続できるのが好ましいからである。本例では、この維持を、挟持具４に常に制動力を付与することで可能にしている。具体的には、上記したスプリング１４で支持軸９ａに摺動抵抗を与え、この摺動抵抗によってカム板１１及び左挟持具４ａがその位置から動かないように制動させている。これによると、挟持具４の開閉、即ち、レバー１３の操作が少し重くなる欠点はあるが、挟持具４を開閉する間どの位置でも、その状態を維持できるという利点がある。
【００１２】
図４はこの維持構造の他の例を示す正面図であるが、本例では、レバー１３にスプリング１５を張り掛けてその先端が常に上方に移動する（挟持具４が閉まる）ように付勢しておくとともに、レバー１３の先端を下げた場合、掛け金１６がこれに係合して上方に移動するのを規制するようにしたものである。尚、レバー１３の先端を下げるとき、レバー１３が掛け金１６を通過すると自動的に係合するように、掛け金１６を支点軸１７の回りに垂直回動できるようにしておくとともに、その背面をスローブ形状にしている（係合方向にスプリングで付勢しておいてもよい）。これにより、掛け金１６を図４で反時計方向に回動させると、レバー１３との係合が外れて先端側は自動的に上がり、挟持具４を即座に閉状態にする。
【００１３】
以上の他、挟持具４の前方には釣り竿３を下から支持する支持具１８が設けられている。即ち、取付具２に設けられた支点軸１９を中心に垂直面内で回動可能なアーム２０を取り付け、このアーム２０の先端をＹ形をした支持具１８に構成している。このアーム２０の上昇角度は調整できるようになっており（図示省略）、支持具１８と挟持具４とで形成する釣り竿３の角度は任意に設定できるようになっている。尚、支持具１８と上記した挟持具４共に、その内面には緩衝材等を貼って釣り竿３の傷付きを防いでいる。
【００１４】
これにより、釣り竿３は、後部の前方を支持具１８で支持され、後部を挟持具４で挟持されて保持されることになる。このとき、挟持具４は、釣り竿３を強固に挟持する必要があるから、レバー１３が作用するカム孔１１ａに段状のノッチ１１ｃを形成し、レバー１３とノッチ１１ｃの位置を変えることでこに対処しているのは上述したとおりである。そして、魚がかかると、釣り竿３を挟持具４から外して取込み操作をするのであるが、それには、レバー１３を上記した開操作すればよい。そして、この開状態は維持されるから、両手を使って釣り竿３を持ち上げるようなことも可能であるし、釣り竿３を挟持具４に降ろして保持する場合には、同様に閉操作をすればよい。
【００１５】
【発明の効果】
以上、本発明は、上記したものであるから、即ち、釣り竿を保持装置から外すときには、レバーを操作して挟持具を開けばよいので、釣り竿だけを挟持具から外せる。又、釣り竿の交換も、挟持具の開閉操作をするだけで可能になり、面倒なネジ等の締緩操作も不要になる。このとき、挟持具は、釣り竿が取り除き可能な開状態と、釣り竿を締め付けて固定する閉状態とが維持できるように開閉可能に構成しておくと、レバーの操作と釣り竿の握りがそれぞれ別の手ででき、迅速な操作が可能になる。
【図面の簡単な説明】
【図１】本発明の一例を示す釣り竿保持装置の一部断面正面図である。
【図２】本発明の一例を示す釣り竿保持装置の一部断面正面図である。
【図３】本発明の一例を示す釣り竿保持装置の一部断面側面図である。
【図４】本発明の他の一例を示す釣り竿保持装置の一部断面側面図である。
【図５】本発明の一例を示す釣り竿保持装置の側面図である。
【符号の説明】
１　　　船縁
２　　　取付具
３　　　釣り竿
４　　　挟持具
４ａ　　左挟持具
４ａａ　上方覆閉部
４ｂ　　右挟持具
７　　　支持軸
１１　　カム板
１１ｃ　ノッチ
１３　　レバー
１４　　掛け金
【図１】
2004141091.tif 000003
【図２】
2004141091.tif 000004
【図３】
2004141091.tif 000005
【図４】
2004141091.tif 000006
【図５】
2004141091.tif 000007